(57)【特許請求の範囲】
【請求項１】
温水循環清澄材を充填した濾過槽が内蔵されている本体部と、この本体部に着脱自在な温水吸排部とからなる温水浴槽用温水循環浄化装置における前記温水吸排部の温水吐出ノズルは、３６０度水平方向で旋回自在で、更に約４０度垂直方向に上下回動自在としてあり、前記温水吐出ノズルは、前記濾過槽にホースを介してその後端部において連通する大径の温水吐出管の先端に水密に取付けられ、この温水吐出管内に同心にエア供給管が配管され、このエア供給管の先端部は前記温水吐出管の温水吐出口近傍に位置し、このエア供給管の後端部は外気に連通するエアホースに接続されているとともに、平坦な垂直板の背面に吸着盤を有するホース固定バンドの垂直板前面に平面視でほゞ三角形の斜辺の如く張り出す一対の支持腕の頂部に形成した略円形の抱持部で前記ホースが抱持され、前記エアホースはこの一対の傾斜した支持腕間の空間に通されていることを特徴とする浴槽用温水循環浄化装置用の温水吐出ノズル。
【請求項２】
請求項１記載の温水吐出ノズルを有し、前記温水吸排部における温水吸引部は前記温水吐出ノズルとは独立して前記本体部に第２のホースを介して接続されていることを特徴とする浴槽用温水循環浄化装置。
【発明の詳細な説明】
【０００１】
【産業上の利用分野】
この発明は、浴槽用温水循環浄化装置用の温水吐出ノズルとこれを使用した浴槽用温水循環浄化装置に関する。
【０００２】
【従来の技術】
この発明は、浴槽用温水循環装置は多数出願され、公開されている。その一例として実開平２−１３７６６４号公報がある。
【０００３】
【発明が解決しようとする課題】
前記公報に記載された温水循環式浴槽装置における噴射−吸入部材は、吸入口と、噴射口と、これ等が装着された浴槽内ケーシングに温水清澄材が内蔵されているものであり、浴槽内ケーシングが大型化する傾向にある。この発明は、前記課題を解決し、平坦な垂直板の背面に吸着盤を有するホース固定バンドの垂直板前面に平面視でほゞ三角形の斜辺の如く張り出す一対の支持腕の頂部に形成した略円形の抱持部でホースを抱持し、エアホースをこの一対の傾斜した支持腕間の空間に通すという改良により、前記抱持部によりホースをしっかりと抱持できるとともに、温水吐出ノズルを３６０°水平方向で旋回し、垂直方向で約４０度上下回動する際に、常にエアホースの動きを自由にすることができるようにする。これに加えて、温水吐出ノズルを３６０°水平方向で旋回し、垂直方向で約４０度上下回動することにより、前記浴槽内ケーシングを不要とし、湯噴射部の裏側に湯だまりが生じないようにし、かつ湯のぬめりの発生を防止可能とした浴槽用温水循環浄化装置用の温水吐出ノズル及びこれを使用した浴槽用温水循環浄化装置を市場に提供することを目的とする。この発明の他の目的は浄化された湯の吐出方向を水平面においては任意の方向に吐出し、上下方向にも振れるようにした浴槽用温水循環浄化装置用の温水吐出ノズル及びこれを使用した浴槽用温水循環浄化装置を提供することである。この発明の別の目的は湯のショートサーキットを防止することにある。
【０００４】
【課題を解決するための手段】
前記課題を解決するために、この特定発明は温水循環清澄材を充填した濾過槽が内蔵されている本体部と、この本体部に着脱自在な温水吸排部とからなる温水浴槽用温水循環浄化装置における前記温水吸排部の温水吐出ノズルは、３６０度水平方向で旋回自在で、更に約４０度垂直方向に上下回動自在としてあり、前記温水吐出ノズルは、前記濾過槽にホースを介してその後端部において連通する大径の温水吐出管の先端に水密に取り付けられ、この温水吐出管内に同心にエア供給管が配管され、このエア供給管の先端部は前記温水吐出管の温水吐出口近傍に位置し、このエア供給管の後端部は外気に連通するエアホースに接続されているとともに、平坦な垂直板の背面に吸着盤を有するホース固定バンドの垂直板前面に平面視でほゞ三角形の斜辺の如く張り出す一対の支持腕の頂部に形成した略円形の抱持部で前記ホースが抱持され、前記エアホースはこの一対の傾斜した支持腕間の空間に通されていることを特徴とする浴槽用温水循環浄化装置用の温水吐出ノズとする。
【０００５】
前記課題を解決するために、関連発明は、前記温水吐出ノズルを有し、前記温水吸引部は温水吐出ノズルとは独立して前記本体部に第２のホースを介して接続されていることを特徴とする浴槽用温水循環浄化装置としてある。
【０００６】
【発明の実施の形態】
実施の形態１この形態は請求項１に記載された発明の実施の形態であり、請求項５記載の発明の実施の形態と併せて説明する。図１において、Ｂは浴槽用温水循環浄化装置を示し、この浴槽用温水循環浄化装置Ｂは循環ポンプ（図示せず）と、このポンプの循環路の二次側に連通する濾過槽（図示せず）とを少なくとも内蔵する本体ハウジング５０と、前記濾過槽内を通り濾過した温水を噴射する噴射口６０を有するジェッター部７０と、このポンプの温水循環路の一次側に連通する温水取入口８０を有する吸込フイルター部９０とを備える。前記ジェッター部７０における噴射口６０を構成する温水吐出ノズル６０Ａは、３６０度水平方向で旋回自在で、更に約４０度垂直方向に上下回動自在としてある。前記温水吐出ノズル６０Ａは、前記濾過槽にホースＦ１を介してその後端部において連通する大径の温水吐出管６２の先端に水密に取り付けられ、この温水吐出管６２内に同心にエア供給管６３が配管され、このエア供給管６３の先端部は前記温水吐出管６２の温水吐出口近傍に位置し、このエア供給管６３の後端部は外気に連通するエアホース６４に接続されている（図１０参照）。
【０００７】
前記温水吐出管６２は全体Ｌ字管で、その起立部６２ａは自在継手６５を介して前記ホースＦ１に水密に接続されている。前記エアホース６４は弾性を有し、前記温水吐出管６２の移動に倣い屈曲自在としてある。前記自在継手６５はボールジョイントとしてある。平坦な垂直板の背面に吸着盤６６を有するホース固定バンド６７の前面に平面視でほゞ三角形の斜辺の如く張り出す一対の支持腕６８の頂部に形成した略円形の抱持部６９で前記ホースＦ１が抱持され、前記エアホース６４はこの一対の傾斜した支持腕６８間の空間６８ａに通されている（図１１参照）。前記吸込フイルター部９０からなる温水吸引部は、前記温水吐出ノズル６０Ａとは独立して前記本体ハウジング５０に第２のホースＦを介して接続される（図１参照）。
【０００８】
即ち、前記ジェッター部７０と、吸込フイルター部９０は、前記本体ハウジング５０にホースＦ１、第２のホースＦを介して独立して接続可能としてあり、前記吸込フイルター部９０は筒状フイルターハウジングＣとこのフイルターハウジングＣの下端からこのフイルターハウジングＣ内に着脱自在に挿入され、固定されるカートリッジフイルターＡとからなる（図２参照）。
このカートリッジフイルターＡは、内外二重管１０、１１からなり、その上端部は第１のキャップＨ１で閉止され、その下端には、中央部に開口を有する第２のキャップＨ２が取り付けられ、外管１０と内管１１の間には、これらキャップＨ１、Ｈ２で上下が閉じられた環状間隙１３が形成され、この間隙１３には湯中の不純物を捕捉する捕捉剤１４が装着され、内、外管１０、１１は温水透過性の網状筒体としてある（図３参照）。
前記吸込みフイルター部９０は浴槽の底面に載置され自立自在としてあり、前記フイルターハウジングＣは断面おむすび形としてあり、フイルターハウジングＣには内方に突出し前記カートリッジフイルターＡの外周面と接触するリブＲがその長手方向に少なくとも２個設けてあり、このフイルターハウジングＣとカートリッジフイルターＡとの間に温水通路１００が形成されている（図２、図７参照）。
前記フイルターハウジングＣの下端には湯の逆流阻止用開閉舌弁Ｅ２付きの湯水吸込口Ｅ１を有する蓋Ｅが螺合され、このフイルターハジングＣの上端は絞られ前記本体ケーシング５０との接続部としてある（図２参照）。前記カートリッジフイルターＡの下端の第２キャップＨ２における内管１０内に位置する突出部Ｈ２１に、その端面から軸線方向に切り込まれたスリットＳが入っている（図３参照）。
前記内管１０の外周面１０ｂ全周にわたり中目網１５が設けてあり、前記外管１１の内周面１１ｂ全周にわたり細目網１６が設けてある。前記中目網１５は前記捕捉材１４が前記内管１０の内側に流出しない程度の網目としてあり、前記細目網１６は前記中目網１５よりも網目が細かく、前記捕捉剤１４が前記外管１１の外側に流出しない程度の網目としてある。前記中目網１５と前記細目網１６のメッシュの比率は２対１乃至３対１程度としてあることが好ましい（図９参照）。
前記捕捉剤１４は活性炭、銀イオン入りの活性炭、活性石、セラミック、ゼオライト、活性自然石、合成樹脂製多孔質体のうちの少なくとも一種としてあり、減菌能力を考慮した場合には、銀イオン入りの活性炭が好ましい。この前記カートリッジフイルターＡは使い捨てとしてある。
【０００９】
この作用を説明する。このカートリッジフイルターＡをフイルターハウジングＣ内に装填する。このフイルターハウジングＣの下端に前記蓋Ｅが取り付けられ、このフイルターハウジングＣの上端は浴槽用温水循環浄化装置Ｂの本体ハウジング５０に設けた循環ポンプの一次側にホースＦで接続される。このフイルターハウジングＣとカートリッジフイルターＡを浴槽の湯中に位置させ、前記本体ハウジング５０を湯の外側で、浴槽の縁、浴室の壁、床に設置する。この状態で、前記本体ハウジング５０内の循環ポンプを駆動し、前記蓋Ｅの前記逆流阻止用開閉舌片Ｅ２を内管１０側に開き、前記温水吸込口Ｅ１´から浴槽の湯をカートリッジフイルターＡ内に吸引する。この吸引した湯を、カートリッジフイルターＡの内管１０の内側から前記間隙１３の全域に流し、湯中の不純物を前記捕捉剤１４で捕捉するとともにバクテリアを吸着し、湯中の脂肪分を除去し、その濁りなどを濾過した後、この湯を外管１１の外側から前記温水水路１００に通し、循環ポンプで汲み上げ、この本体ケーシング５０に設けた濾過槽で再度濾過した後、この濾過槽に連通する前記温水吐出ノズル６０Ａから湯中に濾過した湯を吐出し循環使用する。前記捕捉剤１４の湯と接触する領域は、前記内管１０と前記外管１１間に形成した前記間隙１３となり、大きな領域が確保され、かつ湯中の不純物のうち、前記内管１０の前記中目網１５で湯中の比較的大きなものは捕捉され、更に、外管１１の網目１６で捕捉剤１４間の間隙を通り抜けて外管１１の外側へ出ようとする程度の大きさの不純物が捕捉される。
【００１０】
即ち、外管１１の外周面には、不純物によるぬめりが発生しない。このようにして捕捉剤１４内に捕捉された不純物は、湯の流れに応じてこのフイルターカートリッジＡの上端から順次溜まる。前記湯の循環中、捕捉剤１４が内、外管１０、１１から流出することは、前中目網１５、細目網１６により阻止される。このようにして湯吐出ノズル６０Ａから浴槽内の湯中に吐出された浄化した湯は、入浴者の腰部などをマッサージする。この際、マッサージすべき箇所を変更した時には前記温水吐出ノズル６０Ａを手で持ち、水平方向では任意角度に向け旋回させ、かつ垂直方向で約４０度の範囲で首振りさせる（図１２参照）。この温水吐出ノズル６０Ａの姿勢を変更する際に、前記エアホース６４もこの動きに応じて屈曲自在に変形し、常に泡状のジェット流は温水吐出ノズル６０Ａから吐出する。前記温水吐出管６２の起立部が自在継手６５の一種であるボールジョイントで前記ホースＦ１に接続されている場合には、前記温水吐出ノズル６０Ａの吹出し方向の変更は円滑に行なわれる。
【００１１】
また、前記ホース固定バンド６７の抱持部６９で前記ホースＦ１は抱持されるため、前記温水吐出ノズル６０Ａの向きが変更される際にも、常にこのホースＦ１は浴槽の壁面に垂直に保持される。この温水吐出管６２を適宜水平方向で３６０度程度旋回し、浴槽のコーナ部などの周壁に生じる湯のぬめりを、この温水吐出ノズル６０Ａから噴射される温度より、除去又は低減する。前記捕捉剤１４が目詰まりした時には、前記本体ハウジング５０とフイルターハウジングＣの接続を湯中で外し、このフイルターハウジングＣの下端から蓋Ｅを取り外した後（図４参照）、このフイルターハウジングＣ内からこの捕捉剤１４が目詰まりしたカートリッジフイルターＡを取外し、新たなものと交換する。更にこの循環ポンプの作動時に前記温水水路１００内が負圧となっても、前記フイルターハウジングＣは断面おむすび形としてあり、フイルターハウジングＣには内方に突出し前記カートリッジフイルータＡの外周面と接触するリブＲがその長手方向に少なくとも２個設けてあり、このフイルターハウジングＣとカートリッジフイルターＡとの間に温水通路１００が形成されているため、フイルターハウジングＣの変形は抑制される（図７参照）。前記吸込みフイルター部９０は浴槽の底面に載置され自立自在としてあるため、前記吸込みフイルター部９０の重量が前記本体ケーシング５０に加わらず、前記本体ハウジング５０を堅牢に形成しなくとも済み、本体ケーシング５０を軽量化出来ると共に、前記吸込みフイルター部９０が湯の流れでゆれるということもない。
【００１２】
実施の形態２実施の形態１と異なる構成は、銅線１４ａが前記内筒１０の中目網１５上に重ねて巻きつけられている（図５参照）。
【００１７】
その作用は実施の形態１とほゞ同様である。異なる作用は、この銅線１４ａと湯と接触により、湯中の雑菌は銅イオンの作用で減菌される。なお、前記銅線１４ａに代えて、この中目網１５を銅製としたり、銅製の粉粒体、棒材を前記間隙１３内に充填する場合もある。
【００１３】
実施の形態３実施の形態１と異なる構成はフイルターハウジングＣ０は断面角形で、このフイルターハウジングＣ０には、内方に突出し前記カートリッジフイルターＡの外周面と接触するリブＲがその長手方向に複数個設けてあり（図６参照）、このフイルターハウジングＣ０とカートリッジフイルターＡとの間に温水通路１００が形成されていることである（図８参照）。この作用は実施の形態１とほゞ同様である。
【００１４】
【発明の効果】
請求項１記載の発明においては、平坦な垂直板の背面に吸着盤を有するホース固定バンドの垂直板前面に平面視でほゞ三角形の斜辺の如く張り出す一対の支持腕の頂部に形成した略円形の抱持部で前記ホースが抱持され、前記エアホースはこの一対の傾斜した支持腕間の空間に通されていることにより、前記抱持部によりホースをしっかりと抱持できるとともに、温水吐出ノズルを３６０°水平方向で旋回し、垂直方向で約４０度上下回動する際に、常にエアホースの動きを自由にすることができる。更に、温水吐出ノズルを３６０°水平方向で旋回し、垂直方向で約４０度上下回動することで、浴槽の一部に湯だまりが生じて湯のぬめりが発生するのを未然に防止できる。また浄化された湯を入浴者の腰の任意の位置に自由に向けることができる。
【００１５】
これに加えて、前記エアホースを通して吸引した外気をエア供給管より、温水吐出管から吐出される湯中に混入し、泡入りのジェットを温水吐出ノズルから吐出できる。
【００１６】
請求項２載の発明は、請求項１記載の発明の効果を奏することができるとともに共通のケーシングを本体に着脱することなく、温水吐出ノズルと温水吸引部を独立して本体に接続でき、温水吸引部と温水吐出ノズルの向き及び間隔を任意に調整することで、湯のショートサーキットを防止でき、湯の浄化を充分に行うことができる。
【図面の簡単な説明】
【図１】実施の形態１の正面図である。
【図２】図１のフイルターハウジングとカートリッジフイルターの組立状態を示す半断面図である。
【図３】図２のカートリッジフイルターの半断面図である。
【図４】図１のフイルターハウジングの交換状態を示す図である。
【図５】実施の形態２のカートリッジフイルターの半断面図である。
【図６】実施の形態３のフイルターケーシングの半断面図である。
【図７】図２の横断面図である。
【図８】図７同様の図６の横断面図である。
【図９】図３の一部省略分解斜視図である。
【図１０】湯吐出ノズル部分の一部破断拡大正面図である。
【図１１】ホース固定バンドの平面図である。
【図１２】図１０の使用状態を示す同様の図である。
【符号の説明】
６０Ａ 温水吐出ノズル
【図１】
0003770651.tif 000002
【図２】
0003770651.tif 000003
【図３】
0003770651.tif 000004
【図４】
0003770651.tif 000005
【図５】
0003770651.tif 000006
【図６】
0003770651.tif 000007
【図７】
0003770651.tif 000008
【図８】
0003770651.tif 000009
【図９】
0003770651.tif 000010
【図１０】
0003770651.tif 000011
【図１１】
0003770651.tif 000012
【図１２】
0003770651.tif 000013